(57)【特許請求の範囲】
【請求項１】
着力往復筆であって、軸体１、支持後筒２、調節内軸６、復帰ばね５、ペン芯４および
押圧套筒３を含み、前記支持後筒２は前後に貫通する中空内筒構成とし、且つ支持後筒２
の軸線に対面する筒内中部に斜めに１つまたは複数の支持固定軸２１が延設されており、
前記支持後筒２の内部空間は支持固定軸２１を境として、使用チャンバー２２と静置チャ
ンバー２３に分けられ、前記調節内軸６は長棒状のものとして、前端には外周へ延出する
固定台６１が設けられており、中端には支持後筒２に挿入取付される調節環凸６２が設け
られており、後端には支持後筒２を貫通して、ネジ又はバックルにより押圧套筒３に結合
され、前記調節内軸６は支持後筒２内に伸縮運動可能であり、前記調節環凸６２の後端側
に支持案内スロープ６２１が設けられ、前端側に復位スロープ６２２が設けられており、
前記復帰ばね５および前記ペン芯４は軸体１内に配置され、前記ペン芯４は、復帰ばね５
と固定台６１の間に配置され、前記軸体１と支持後筒２はネジ構造により接続されており
、
前記支持固定軸２１にさらに、支持案内スロープ６２１に抵触する固定スロープ２１１
と、復位スロープ６２２に接触する復位内スロープ２１２とが設けられており、
前記支持固定軸２１と調節環凸６２の間の係合状態によって、ペン芯４の軸体１内にお
ける位置関係を決定し、係合状態は、
１）前記支持固定軸２１の軸体と支持案内スロープ６２１とが抵触する時に、調節環凸
６２が使用チャンバー２２に位置する場合、ペン芯４が軸体１から露出する状態にあり、
すなわち使用状態である、
又は
２）前記調節環凸６２が支持固定軸２１を貫通して、静置チャンバー２３に入る場合、
ペン芯４が軸体１に隠れる状態にあり、すなわち不使用状態である、
ことを特徴とする着力往復筆。
【発明の詳細な説明】
【技術分野】
【０００１】
本発明は、筆記用具に関し、特に着力往復筆に関する。
【背景技術】
【０００２】
既存の筆では、時代の発展につれて、ますますハイエンド化及び最適化し、構造は複雑で
ある。しかし、大部分は不意に倒れることがあり、転倒防止できたとしても、その保護構
造は複雑で、大規模に広めることはできず、すべての人々に用いさせることはできない。
【０００３】
結局、筆は机から落ちることは小さい確率事象に属することであり、もしコストが高すぎ
れば、そんなに小さい確率事象に備えることは、コストおよび資源の観点から、無駄であ
る。従来のペンの芯の品質はさらに絶え間なく向上しているが、筆ケース内に搭載すれば
、依然として転倒防止でき、実際のコストは同じく高すぎている可能性があり、得よりも
損のほうが大きい。
【０００４】
もし転倒防止に対してが最適化しなければ、筆は時代遅れになり、ペンの芯（リフィール
）は損壊し、従ってたくさんの損壊したリフィールから多く生み出される可能性があり、
これは環境に対して、圧力であり、それは不必要な無駄を引き起こす。
【発明の概要】
【０００５】
本発明の目的は、従来筆記具が解決できない単純構造によって、合理的コストで、転倒防
止の問題を解決できる着力往復筆をを提供することにある。それは地面に落下した後、ペ
ンの芯（リフィール）の圧力解放を補助することができ、過圧後、筆軸内に自動で取り戻
すことができ、且つ書く時、揺れ動くことなく安定して手書きすることができる。
【０００６】
上記の発明目的を実現するため、本発明は以下の技術的解決手段を用いる。
【０００７】
着力往復筆は、軸体、支持後筒、調節内軸、復帰ばね、ペン芯および押圧套筒を含み、前
記支持後筒は前後に貫通する中空内筒構成とし、且つ支持後筒の軸線に対面する筒内中部
に斜めに１つまたは複数の支持固定軸が延設されており、前記支持後筒の内部空間は支持
固定軸を境として、使用チャンバーと静置チャンバーに分けられ、前記調節内軸は長棒の
ものとして、前端には、外周へ延出する固定台が設けられており、中端には、支持後筒に
挿入取付される調節環凸が設けられており、後端は支持後筒を貫通して、ネジやバックル
などで押圧套筒へと結合され、前記調節内軸は支持後筒内に伸縮移動可能であり、前記調
節環凸の後端側に支持案内スロープが設けられ、前端側に復位スロープが設けられており
、前記復帰ばねおよび前記ペン芯は軸体内に配置され、前記ペン芯は具体的には、復帰ば
ねと固定台の間に配置され、前記軸体と支持後筒はネジ構成により接続されており、
前記支持固定軸にさらに、支持案内スロープに抵触する固定スロープと、復位スロープに
接触する復位内スロープとが設けられており、
前記支持固定軸と調節環凸の間の係合状態によって、ペン芯の軸体内における位置関係を
決定し、具体的係合状態は下記のとおりであり、
１）前記支持固定軸の軸体と支持案内スロープとが抵触する時に、調節環凸が使用チャン
バーに位置する場合は、ペン芯の軸体から露出する状態にあり、すなわち使用状態であり
、
又は
前記調節環凸が支持固定軸を貫通して、静置チャンバーに入る場合は、ペン芯の軸体に隠
す状態にあり、すなわち不使用状態である。
【０００８】
好ましくは、前記支持案内スロープと固定スロープの表面は異なるテクスチャを採用し、
これにより、支持案内スロープと固定スロープの間の摩擦力を変化でき、摩擦係数Ｈを変
えることができ、前記復位内スロープと復位スロープの表面は異なるテクスチャを採用し
、これにより、復位内スロープと復位スロープの間の摩擦力を変化でき、摩擦係数Ｔを変
えることができる。
【０００９】
好ましくは、前記復位スロープと調節内軸の軸体軸線とがなす挟角はＸとし、前記支持案
内スロープと調節内軸軸体軸線とがなす挟角はＹとする。
【００１０】
好ましくは、前記挟角Ｘは挟角Ｙより小さく、前記挟角Ｘは４５度と等しい又はそれ以下
であり、前記挟角Ｙは６０度と等しい又はそれ以上である。
【００１１】
好ましくは、前記支持固定軸内にさらに磁石と磁石チャンバーが設けられており、前記磁
石は磁石チャンバー内に固定され、前記支持固定軸の数は１つである場合、調節内軸は磁
気吸収材料製または磁石製である。
【００１２】
好ましくは、前記支持固定軸と前記支持案内スロープの間に発生する抵触力は、人による
筆記において発生する正常圧迫力より大きく、ペンがデスクから落としペン芯のペン先が
着地した場合に発生する衝撃力より小さく、前記抵触力は、前記支持固定軸の変形引張力
、挟角Y、および摩擦係数Hにより決定され、前記調節環凸が静置チャンバーから使用チャ
ンバーに入る時は、押圧外力によって、支持固定軸の変形引張力を克服する必要があり、
前記押圧外力は支持固定軸の変形引張力、挟角Ｘおよび摩擦係数Ｔにより決定され、抵触
力が一定の場合、便利に使用できるように、支持固定軸の変形引張力が小いほど、小さい
押圧外力を作用する。
【００１３】
好ましくは、前記調節環凸の支持案内スロープにさらに抜止環凸が設けられており、相応
的に、それに係合される抜止凹溝が前記支持固定軸の固定スロープに設けられており、前
記支持固定軸と支持案内スロープの間に発生する抵触力は、人による筆記において発生す
る正常圧迫力より大きく、ペンがデスクから落としペン芯のペン先が着地した場合に発生
する衝撃力より小さく、前記抵触力は、支持固定軸の変形引張力、支持案内スロープと固
定スロープの間の摩擦力、抜止環凸と抜止凹溝の間の係合力および挟角Ｙにより決定され
、前記調節環凸が静置チャンバーから使用チャンバーに入る時は、押圧外力によって、支
持固定軸の変形引張力を克服する必要があり、前記押圧外力は支持固定軸の変形引張力、
挟角Ｘおよび復位内スロープと復位スロープの間の摩擦力によって決定され、抵触力が一
定に場合、支持固定軸の変形引張力が小いほど、小さい押圧外力を作用する。
【００１４】
好ましくは、前記支持固定軸と支持案内スロープの間に発生する抵触力と、支持固定軸に
おける磁石間の磁気吸収力または支持固定軸と調節内軸との間の磁気吸収力との合力は、
人による筆記において発生する正常圧迫力より大きく、ペンがデスクから落としペン芯の
ペン先が着地した場合に発生する衝撃力より小さく、前記抵触力は、支持固定軸の変形引
張力、挟角Ｙおよび摩擦係数Ｈにより決定され、前記調節環凸が静置チャンバーから使用
チャンバーに入る時は、押圧外力により、支持固定軸の変形引張力と、支持固定軸におけ
る磁石間の磁気吸収力または支持固定軸と調節内軸の間の磁気吸収力との合力を克服する
必要があり、また前記押圧外力は、支持固定軸の変形引張力、支持固定軸における磁石間
の磁気吸収力または支持固定軸と調節内軸の間の磁気吸収力、挟角Ｘおよび摩擦係数Ｔに
より決定され、抵触力が一定の場合、便利に使用できるように、支持固定軸の変形引張力
が小いほど、小さい押圧外力を作用する。
【００１５】
好ましくは、前記調節環凸の復位内スロープと復位スロープの間、および両スロープの間
に、少なくとも間隔Ｋが設けられており、前記間隔Ｋは、ペン先の軸体からの露出位置か
ら軸体内へ引っ込んだ位置までの伸縮距離と等しくまたはそれ以上とされる。
【００１６】
好ましくは、前記固定台内にさらにペン芯収納チャンバーが設けられており、前記ペン芯
の後端はペン芯固定収納チャンバー内に挿接している。
【００１７】
使用力にかかるより好ましい形態をあげる。
もし磁石がない場合は、支持固定軸と支持案内スロープの間に発生する抵触力は、その力
の値の最適範囲が以下の通りである。
（正常筆記力＋誤差防止力）  ≦ （支持固定軸と支持案内スロープの間に発生する抵触
力）  ≦ （ペン芯の最大受容力−許容誤差力）  ＜  ペン芯がデスクから落とすとペン
先が落地したことによる衝撃力。
もし磁石があり、且つ支持固定軸が１つである場合は、その力の値の最適範囲が以下の通
りである。
（正常筆記力＋誤差防止力）  ≦ （支持固定軸と支持案内スロープの間に発生する抵触
力＋支持固定軸と調節内軸の間における磁気吸力）  ≦ （ペン芯の最大受容力−許容誤
差力）  ＜  ペン芯がデスクから落とすとペン先が落地したことによる衝撃力。
もし磁石があり、且つ支持固定軸が２つまたはそれ以上である場合は、その力の値の最適
範囲が以下の通りである。
（正常筆記力＋誤差防止力）  ≦ （支持固定軸と支持案内スロープの間に発生する抵触
力＋支持固定軸における磁石間の磁気吸力）  ≦ （ペン芯の最大受容力−許容誤差力）
＜  ペン芯がデスクから落とすとペン先落地したことによる衝撃力。
【００１８】
前記「正常筆記力」用語とは、異なる類型の使用者にしたがって個性化設計が可能であり
、異なる人の実況に基づき正常筆記力を設定してもよく、全ての使用者に対して総じて正
常筆記力を設定してよく、この場合、全ての使用者の正常筆記を確保できればよい。
【００１９】
前記「誤差防止力」用語とは、実際の製造過程では、製品の質量要求と実際結果の間に、
一定の距離がある。それを相殺する力が必要である。
【００２０】
前記「ペン芯の最大受容力」用語とは、ペン芯の生産時には、損壊力が決定されておく。
損壊力の閾値は、正常筆記力よりずっと大きく、且つ落下保護力に近い値とする。このよ
うにしても、完全的な落下保護は実現できない。ところが、該閾値は、本発明の設計思想
に一致するので、充分であると考えられる。
【００２１】
前記「許容誤差力」用語とは、もしペン芯の最大受容力を基準とすれば、ペン芯の使用損
壊の確率が増えるので、この実際閾値の範囲を縮小する必要があり、この許容誤差力は、
より適宜にペン芯を保護するために決定されるものである。
【００２２】
さらなる省力化のために、使用者の力が小さいほど望ましく、実際の力が正常筆記＋誤差
防止力に近いほど、その使用効果がよく、ペン芯の保護力も最大となる。
【００２３】
その使用方法に関して説明する。
使用しようとすると、套筒を押圧する。すると調節内軸を下押して移動させる。それによ
り調節環凸を使用チャンバーに進入させる。それから、手を離すと、支持固定軸と調節環
凸との間は安定状態になり、正常的筆記に利用できる。
【００２４】
使用しないときは、正常筆記＋誤差防止力より大きい力でペン芯を下押すればよく、これ
によって、抵触力を克服して、調節環凸を静置チャンバーに進入させる。
【００２５】
本発明の提案は、主に基部に関している。このため、本案は他の従来筆具に結合し、落下
保護と筆記力矯正を付与することができる。例えば、本発明にキャップを付加してもよい
。この場合は、不使用の際はキャップを付けて、使用際はキャップを除けるとすればよい
。落ちた場合や過大な力を掛けたとしたら、内部の調節環凸と支持固定軸をストッカーし
て、ペン芯を軸体内に撤回させる。または、他の操作形態による筆具内に結合して、落下
保護と筆記力過大防止の機能を持たせてもよい。
【００２６】
従来の技術に比べて、上記技術案は下記の有益な効果を有する。
１  技術上はわかりやすく、製造コストが低く、広範囲販売が可能である。
２  落下保護の機能を有する。
３  使用に便利で、快速操作が可能である。
４  安定的構成であり、使用と不使用の操作を区別可能として、誤操作を避けられる。
５  筆記力を矯正することができ、強握持の習慣を矯正する。
６  他の筆に付属の落下保護構成としてもよい。
【図面の簡単な説明】
【００２７】
【図１】本発明実施例１の斜視図である。
【図２】本発明実施例１の正面図である。
【図３】本発明図２のＡ−Ａの断面図とする。
【図４】本発明図３のＡの部分拡大図とする。
【図５】本発明図４のＢの部分拡大図とする。
【図６】本発明実施例１の立体の分解図とする。
【図７】本発明実施例２の正面図である。
【図８】本発明図７のＣ−Ｃの断面図とする。
【図９】本発明図８のＣの部分拡大図とする。
【図１０】本発明実施例２の立体の分解図とする。
【００２８】
［符号の説明］
１  軸体  
２  支持後筒
２１  支持固定軸  
２１１  固定スロープ  
２１１１  抜止凹溝  
２１２  復位内スロープ  
２１３  磁石チャンバー  
２２  使用チャンバー  
２３  静置チャンバー  
３  押圧套筒  
４  ペン芯  
５  復帰ばね  
６  調節内軸  
６１  固定台  
６１１  ペン芯収納チャンバー  
６２  調節環凸  
６２１  支持案内スロープ  
６２１１  抜止環凸  
６２２  復位スロープ。
【発明を実施するための形態】
【００２９】
以下、図面を用いて、本発明を詳細に説明する。
【００３０】
＜実施例１＞
図１〜６に示される着力往復筆は、軸体１、支持後筒２、調節内軸６、復帰ばね５、ペン
芯４および押圧套筒３を含む。上記支持後筒２は前後に貫通する中空内筒構成とし、且つ
支持後筒２の軸線に対面する筒内中部に斜めに１つまたは複数の支持固定軸２１が延設さ
れている。上記支持後筒２の内部空間は支持固定軸２１を境として、使用チャンバー２２
と静置チャンバー２３に分けられる。上記調節内軸６は長棒のものとして、前端には、外
周へ延出する固定台６１が設けられており、中端には、支持後筒２に挿入取付される調節
環凸６２が設けられており、後端は支持後筒２を貫通して、ネジやバックルなどで押圧套
筒３へと結合される。上記調節内軸６は支持後筒２内に伸縮移動可能である。上記調節環
凸６２の後端側に支持案内スロープ６２１が設けられ、前端側に復位スロープ６２２が設
けられている。上記復帰ばね５および上記ペン芯４は軸体１内に配置される。上記ペン芯
４は具体的には、復帰ばね５と固定台６１の間に配置される。上記軸体１と支持後筒２は
ネジ構成により接続されている。
【００３１】
上記支持固定軸２１にさらに、支持案内スロープ６２１に抵触する固定スロープ２１１と
、復位スロープ６２２に接触する復位内スロープ２１２とが設けられている。
【００３２】
上記支持固定軸２１と調節環凸６２の間の係合状態によって、ペン芯４の軸体１内におけ
る位置関係を決定する。具体的係合状態は下記のとおりである。
【００３３】
１）上記支持固定軸２１の軸体と支持案内スロープ６２１とが抵触する時に、調節環凸６
２が使用チャンバー２２に位置する場合は、ペン芯４の軸体１から露出する状態にあり、
すなわち使用状態である。
【００３４】
２）上記調節環凸６２が支持固定軸２１を貫通して、静置チャンバー２３に入る場合は、
ペン芯４の軸体１に隠す状態にあり、すなわち不使用状態である。
【００３５】
衝撃されると、支持固定軸を快速に調節環凸から脱離させることができるように、抵触力
を増える必要がある。このために、上記支持案内スロープ６２１と固定スロープ２１１の
表面は異なるテクスチャを採用する。これにより、支持案内スロープ６２１と固定スロー
プ２１１の間の摩擦力を変化でき、摩擦係数Ｈを変えることができる。上記復位内スロー
プ２１２と復位スロープ６２２の表面は異なるテクスチャを採用する。これにより、復位
内スロープ２１２と復位スロープ６２２の間の摩擦力を変化でき、摩擦係数Ｔを変えるこ
とができる。本実施例においては、上記支持案内スロープ６２１と固定スロープ２１１の
表面は粗いテクスチャとするのが好ましく、摩擦力を増加でき、支持固定軸の変形引張力
への要求を低減させる。復位内スロープ２１２と復位スロープ６２２の表面はスムーズテ
クスチャとするのが好ましく、摩擦力を減少でき、静置チャンバーから容易に使用チャン
バーへ切換することができる。また実用では、スロープ斜度や、筆具の長度によって決定
される。
【００３６】
上記復位スロープ６２２と調節内軸６の軸体軸線とがなす挟角はＸとし、上記支持案内ス
ロープ６２１と調節内軸６軸体軸線とがなす挟角はＹとする。上記挟角Ｘは挟角Ｙより小
さい。好ましくは上記挟角Ｘは４５度以下であり、上記挟角Ｙは６０度以上である。調節
環凸を快速かつ省力的に静置チャンバーから使用チャンバーに進入可能な上で、挟角Ｘは
大きいほど好ましい。挟角Ｘが大きいほど、係合の範囲距離を適当に減少できるからであ
る。これで、材料消耗と筆具長度を低減させるとともに、ペン芯のためにもっと長度距離
を残すことができる。衝撃されると、支持固定軸を快速に調節環凸から脱離させ得る前提
では、筆記の安定性は高いほど、正常筆記において受けられる影響は無くなるまで可能で
ある。また、材料消耗と筆具長度を低減させ、ペン芯のためにもっと長度距離を残すとい
う効果もわずかある。ただし、挟角Ｙは過大ではならない。挟角Ｙは大きすぎると、抵触
力も高すぎるようになる。この場合、もし抵触力がそれほど高くなかったら、支持固定軸
の変形引張力が過小となる。支持固定軸の変形圧力が過小であったら、安定性に非常に不
利である。また、挟角が過大であったら、調節環凸の静置チャンバーへの進入には不利で
あり、係合状態切換の安定性も悪くなる。
【００３７】
追加的に本発明を説明するが、上記支持固定軸２１と上記支持案内スロープ６２１の間に
発生する抵触力は、人による筆記において発生する正常圧迫力より大きく、ペンがデスク
から落としペン芯のペン先が着地した場合に発生する衝撃力より小さくされる。上記抵触
力は、前記支持固定軸２１の変形引張力、挟角Y、および摩擦係数Hにより決定される。上
記調節環凸６２が静置チャンバー２３から使用チャンバー２２に入る時は、押圧外力によ
って、支持固定軸２１の変形引張力を克服する必要がある。上記押圧外力は支持固定軸２
１の変形引張力、挟角Ｘおよび摩擦係数Ｔにより決定される。抵触力が一定とする前提で
は、支持固定軸２１の変形引張力が小いほど、小さい押圧外力を作用できて好ましく、使
用に便利である。
【００３８】
筆記安定性を向上させるために、ペン芯にわずかの引っ込みも発生しないようにできれば
望ましい。このために、上記調節環凸６２の支持案内スロープ６２１にさらに抜止環凸６
２１１が設けられている。相応的に、それに係合される抜止凹溝２１１１が上記支持固定
軸２１の固定スロープ２１１に設けられている。上記支持固定軸２１と支持案内スロープ
６２１の間に発生する抵触力は、人による筆記において発生する正常圧迫力より大きく、
ペンがデスクから落としペン芯のペン先が着地した場合に発生する衝撃力より小さくされ
る。上記抵触力は、支持固定軸２１の変形引張力、支持案内スロープ６２１と固定スロー
プ２１１の間の摩擦力、抜止環凸６２１１と抜止凹溝２１１１の間の係合力および挟角Ｙ
により決定される。上記調節環凸６２が静置チャンバー２３から使用チャンバー２２に入
る時は、押圧外力によって、支持固定軸２１の変形引張力を克服する必要がある。上記押
圧外力は支持固定軸２１の変形引張力、挟角Ｘおよび復位内スロープ２１２と復位スロー
プ６２２の間の摩擦力によって決定される。抵触力が一定とする前提では、支持固定軸２
１の変形引張力が小いほど、小さい押圧外力を作用できて好ましく、使用に便利である。
【００３９】
ペン先が保護されるために、ペン芯は正常的に引っ込みが可能で、且つ完全的に軸体中に
隠蔽できるように、使用状態と不使用状態の間に十分な差を確保する必要がある。そのた
めに、上記調節環凸６２の復位内スロープ２１２と復位スロープ６２２の間、および両ス
ロープの間に、少なくとも間隔Ｋが設けられている。上記間隔Ｋは、ペン先の軸体からの
露出位置から軸体内へ引っ込んだ位置までの伸縮距離と等しくまたはそれ以上とされる。
ペン芯基部の軸体内におけるむやみ振動を避けて、固定効果を具備させるために、上記固
定台６１内にさらにペン芯収納チャンバー６１１が設けられている。上記ペン芯４の後端
はペン芯固定収納チャンバー６１１内に挿接している。
【００４０】
本実施例における使用力の範囲は下記の通りである。
正常筆記力＋誤差防止力）  ≦ （支持固定軸と支持案内スロープの間に発生する抵触力
）  ≦ （ペン芯の最大受容力−許容誤差力）  ＜  ペン芯がデスクから落とすとペン先
が落地したことによる衝撃力。
【００４１】
＜実施例２＞
図７〜１０に示される着力往復筆は、軸体１、支持後筒２、調節内軸６、復帰ばね５、ペ
ン芯４および押圧套筒３を含む。上記支持後筒２は、前後に貫通する中空内筒構成とし、
且つ支持後筒２の軸線に対面する筒内中部に斜めに１つまたは複数の支持固定軸２１が延
設されている。上記支持後筒２の内部空間は支持固定軸２１を境として、使用チャンバー
２２と静置チャンバー２３に分けられる。上記調節内軸６は長棒のものとして、前端には
、外周へ延出する固定台６１が設けられており、中端には、支持後筒２に挿入取付される
調節環凸６２が設けられており、後端は支持後筒２を貫通して、ネジやバックルなどで押
圧套筒３へと結合される。上記調節内軸６は支持後筒２内に伸縮移動可能である。上記調
節環凸６２の後端側に支持案内スロープ６２１が設けられ、その前端側に復位スロープ６
２２が設けられている。上記復帰ばね５および上記ペン芯４は軸体１内に配置される。上
記ペン芯４は具体的には、復帰ばね５と固定台６１の間に配置されている。上記軸体１と
支持後筒２はネジ構成により接続されている。
【００４２】
上記支持固定軸２１にさらに、支持案内スロープ６２１に抵触する固定スロープ２１１と
、復位スロープ６２２に接触する復位内スロープ２１２とが設けられている。
【００４３】
上記支持固定軸２１と調節環凸６２の間の係合状態によって、ペン芯４の軸体１内におけ
る位置関係を決定する。具体的係合状態は下記のとおりである。
【００４４】
１）上記支持固定軸２１の軸体と支持案内スロープ６２１とが抵触する時に、調節環凸６
２は使用チャンバー２２に位置する場合は、ペン芯４の軸体１からの露出する状態にあり
、すなわち使用状態である。
【００４５】
２）上記調節環凸６２が支持固定軸２１を貫通して、静置チャンバー２３に入る場合は、
ペン芯４の軸体１に隠蔽する状態にあり、すなわち不使用状態である。
【００４６】
部材等間の相互接触が原因で、摩擦力の存在は避けられない。より望ましい効果を生み出
すためには、上記支持案内スロープ６２１と固定スロープ２１１の表面は異なるテクスチ
ャを採用する。これにより、支持案内スロープ６２１と固定スロープ２１１の間の摩擦力
を変化でき、摩擦係数Ｈを変えることができる。上記復位内スロープ２１２と復位スロー
プ６２２の表面は異なるテクスチャを採用して、復位内スロープ２１２と復位スロープ６
２２の間の摩擦力を変化でき、摩擦係数Ｔを変えることができる。本例でどのようなテク
スチャを採用するかは、磁力の大きさによって決める。磁力は過大である場合は、スムー
ズテクスチャとし、摩擦力を低減させる。小さい場合は、粗いテクスチャとする。普通で
ある場合は、中程度摩擦力のテクスチャとしてもよい。適当な摩擦力であれば、筆記の安
定性を向上することができる。
【００４７】
本例では、磁力のような安定的手段による係合を採用しているので、挟角Ｘへの要求は、
実施例１より低い。したがって、挟角Ｘは実際によって６０度未満とされてもよい。ただ
し、上記復位スロープ６２２と調節内軸６の軸体軸線とがなす挟角はＸとし、上記支持案
内スロープ６２１と調節内軸６軸体軸線とがなす挟角はＹとする。
【００４８】
磁力によって抵触力を提供するとしたら、抵触力はさらに安定的かつ容易に調節可能とな
る。そのために、上記支持固定軸２１内にさらに磁石７と磁石チャンバー２１３が設けら
れている。上記磁石７は磁石チャンバー２１３内に固定される。もし上記支持固定軸２１
の数は１つである場合、調節内軸６は磁気吸収材料製または磁石製としてもよい。上記支
持固定軸２１と支持案内スロープ６２１の間に発生する抵触力と、支持固定軸２１におけ
る磁石間の磁気吸収力または支持固定軸２１と調節内軸６との間の磁気吸収力との合力は
、人による筆記において発生する正常圧迫力より大きく、ペンがデスクから落としペン芯
のペン先が着地した場合に発生する衝撃力より小さくされる。上記抵触力は、支持固定軸
２１の変形引張力、挟角Ｙおよび摩擦係数Ｈにより決定される。上記調節環凸６２が静置
チャンバー２３から使用チャンバー２２に入る時は、押圧外力により、支持固定軸２１の
変形引張力と、支持固定軸２１における磁石間の磁気吸収力または支持固定軸２１と調節
内軸６の間の磁気吸収力との合力を克服する必要がある。また上記押圧外力は、支持固定
軸２１の変形引張力、支持固定軸２１における磁石間の磁気吸収力または支持固定軸２１
と調節内軸６の間の磁気吸収力、挟角Ｘおよび摩擦係数Ｔにより決定される。抵触力が一
定とする前提では、支持固定軸２１の変形引張力が小いほど、小さい押圧外力を作用でき
て好ましく、使用に便利である。
【００４９】
ペン先が保護されるために、ペン芯は正常的に引っ込みが可能で、且つ完全的に軸体中に
隠蔽できるように、使用状態と不使用状態の間に十分な差を確保する必要がある。そのた
めに、上記調節環凸６２の復位内スロープ２１２と復位スロープ６２２の間、および両ス
ロープの間に、少なくとも間隔Ｋが設けられている。上記間隔Ｋは、ペン先の軸体からの
露出位置から軸体内へ引っ込んだ位置までの伸縮距離と等しくまたはそれ以上とされる。
ペン芯基部の軸体内におけるむやみ振動を避けて、固定効果を具備させるために、上記固
定台６１内にさらにペン芯収納チャンバー６１１が設けられている。上記ペン芯４の後端
はペン芯固定収納チャンバー６１１内に挿接している。
【００５０】
本実施例における使用力の範囲は下記の通りである。
（正常筆記力＋誤差防止力）  ≦ （支持固定軸と支持案内スロープの間に発生する抵触
力＋支持固定軸と調節内軸の間における磁気吸力）  ≦ （ペン芯の最大受容力−許容誤
差力）  ＜  ペン芯がデスクから落とすとペン先が落地したことによる衝撃力。
【要約】      （修正有）【課題】単純構造によって、合理的コストで、転倒を防止することができる着力往復筆を提供する。【解決手段】着力往復筆は、軸体１、支持後筒２、調節内軸６、復帰ばね５、ペン芯４および押圧套筒３を含む。支持後筒は前後に貫通する中空内筒構成とし、且つ支持後筒の軸線に対面する筒内中部に斜めに１つまたは複数の支持固定軸が延設されている。支持後筒の内部空間は支持固定軸を境として、使用チャンバーと静置チャンバーに分けられる。製造コストが低く、広範囲販売が可能である。落下保護の機能を有する。使用に便利で、快速操作が可能である。安定的構成であり、使用と不使用の操作を区別可能として、誤操作を避けられる。【選択図】図６【図１】
0006812617.tif 000002
【図２】
0006812617.tif 000003
【図３】
0006812617.tif 000004
【図４】
0006812617.tif 000005
【図５】
0006812617.tif 000006
【図６】
0006812617.tif 000007
【図７】
0006812617.tif 000008
【図８】
0006812617.tif 000009
【図９】
0006812617.tif 000010
【図１０】
0006812617.tif 000011